【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
複数の装置側端子を有する印刷装置に脱着可能に装着される印刷材収容体であって、
第１のデバイスと、
第２のデバイスと、
複数の第１の端子と少なくとも１つの第２の端子と少なくとも１つの第３の端子を含み、前記複数の装置側端子に接続するための端子群と、
を備え、
前記複数の第１の端子は、前記第１のデバイスに接続され、
前記少なくとも１つの第２の端子は、前記第２のデバイスに接続され、
前記少なくとも１つの第３の端子は、前記少なくとも１つの第２の端子と前記少なくとも１つの第３の端子との短絡を検出するための端子であり、
前記少なくとも１つの第３の端子の少なくとも一部分から、少なくとも１つの方向に向かって、前記少なくとも１つの第２の端子の少なくとも一部分に至るまでの間には、前記第１の端子が配置されていない、印刷材収容体。
【請求項２】
複数の装置側端子を有する印刷装置に脱着可能に装着される印刷材収容体であって、
第１のデバイスと、
第２のデバイスと、
複数の第１の端子と少なくとも１つの第２の端子と少なくとも１つの第３の端子を含み、前記複数の装置側端子に接続するための端子群と、
を備え、
前記複数の第１の端子は、前記第１のデバイスに接続され、
前記少なくとも１つの第２の端子は、前記第２のデバイスに接続され、
前記少なくとも１つの第３の端子は、前記少なくとも１つの第２の端子と前記少なくとも１つの第３の端子との短絡を検出するための端子であり、
前記少なくとも１つの第３の端子の少なくとも一部分と、前記少なくとも１つの第２の端子の少なくとも一部分とは、少なくとも１つの方向に隣り合う、印刷材収容体。
【請求項３】
請求項１または請求項２に記載の印刷材収容体において、
前記印刷材収容体は、所定の挿入方向に挿入されることによって、前記印刷装置に装着され、
前記少なくとも１つの第２の端子に対し、前記挿入方向に略垂直な方向に最も近い端子は、前記少なくとも１つの第３の端子のいずれかである、印刷材収容体。
【請求項４】
請求項１ないし請求項３のいずれかに記載の印刷材収容体において、
前記複数の第１の端子のうち、前記少なくとも１つの第２の端子に隣り合う端子の数は、前記複数の第１の端子のうち、前記少なくとも１つの第３の端子に隣り合う端子の数より少ない、印刷材収容体。
【請求項５】
請求項１ないし請求項４のいずれかに記載の印刷材収容体において、
前記印刷材収容体は、所定の挿入方向に挿入されることによって、前記印刷装置に装着され、
前記少なくとも１つの方向は、前記挿入方向である、または、前記挿入方向を方向成分として含む方向である、印刷材収容体。
【請求項６】
請求項１ないし請求項４のいずれかに記載の印刷材収容体において、
前記少なくとも１つの方向は、前記印刷材収容体の側縁部から遠ざかる方向である、または、前記側縁部から遠ざかる方向を方向成分として含む方向である、印刷材収容体。
【請求項７】
請求項１ないし請求項４のいずれかに記載の印刷材収容体において、
前記少なくとも１つの方向は、前記印刷材収容体の側縁部に向かう方向である、または、前記側縁部に向かう方向を方向成分として含む方向である、印刷材収容体。
【請求項８】
複数の装置側端子を有する印刷装置に脱着可能に装着される印刷材収容体であって、
第１のデバイスと、
第２のデバイスと、
複数の第１の端子と少なくとも１つの第２の端子と少なくとも１つの第３の端子を含み、前記複数の装置側端子に接続するための端子群と、
を備え、
前記複数の第１の端子は、前記第１のデバイスに接続され、
前記少なくとも１つの第２の端子は、前記第２のデバイスに接続され、
前記少なくとも１つの第３の端子は、前記少なくとも１つの第２の端子と前記少なくとも１つの第３の端子との短絡を検出するための端子であり、
前記少なくとも１つの第２の端子の外周縁の第１の部分は、前記少なくとも１つの第３の端子の外周縁の一部分と隣り合い、
前記少なくとも１つの第２の端子の外周縁の第２の部分は、前記複数の第１の端子のいずれかの外周縁の一部分と隣り合い、
前記第１の部分の長さは、前記第２の部分の長さより長い、印刷材収容体。
【請求項９】
請求項１ないし請求項８のいずれかに記載の印刷材収容体において、
前記少なくとも１つの第３の端子は、前記複数の第１の端子のいずれより、前記少なくとも１つの第２の端子に近接している印刷材収容体。
【請求項１０】
請求項１ないし請求項９のいずれかに記載の印刷材収容体において、
前記少なくとも１つの第２の端子は、各前記第１の端子の少なくとも一部分より、前記印刷材収容体の測縁部に近く配置されている印刷材収容体。
【請求項１１】
請求項１ないし請求項１０のいずれかに記載の印刷材収容体において、
前記端子群は、少なくとも２つの前記第２の端子を含み、
各前記第１の端子の少なくとも一部分は、２つの前記第２の端子の間に配置されている、印刷材収容体。
【請求項１２】
請求項１ないし請求項１１のいずれかに記載の印刷材収容体において、
前記第１のデバイスは、前記印刷材収容体に収容された印刷材に関する情報を格納するためのメモリである、印刷材収容体。
【請求項１３】
請求項１ないし請求項１２のいずれかに記載の印刷材収容体において、
前記第２のデバイスは、前記印刷材収容体に収容された印刷材の残量を判定するためのセンサである、印刷材収容体。
【請求項１４】
請求項１ないし請求項１３のいずれかに記載の印刷材収容体において、
前記第２のデバイスは、前記第１のデバイスより高い電圧により動作する、印刷材収容体。
【請求項１５】
請求項１ないし請求項１４のいずれかに記載の印刷材収容体において、
前記印刷材収容体は、前記印刷装置に供給するための印刷材が収容されている、印刷材収容体。
【請求項１６】
請求項１ないし請求項１５のいずれかに記載の印刷材収容体において、
前記第３の端子は、前記第２の端子ごとに、１つずつ配置されている印刷材収容体。
【請求項１７】
請求項１ないし請求項１６のいずれかに記載の印刷材収容体において、
前記端子群は、１または複数の列を形成するように配置され、
前記第２の端子は、前記１または複数の列のうちの一の列の両端にそれぞれ配置されている、印刷材収容体。
【請求項１８】
請求項１ないし請求項１７のいずれかに記載の印刷材収容体において、
前記端子群は、第１の列と第２の列を形成するように配置され、
前記第２の端子は、前記第１の列の両端にそれぞれ配置され、
前記少なくとも１つの第３の端子は、前記第２の列の両端のうち少なくとも一方に配置されている、印刷材収容体。
【請求項１９】
請求項１８に記載の印刷材収容体において、
前記端子群は、少なくとも２つの前記第３の端子を含み、
前記第３の端子は、前記第２の列の両端にそれぞれ配置されている、印刷材収容体。
【請求項２０】
請求項１８または請求項１９に記載の印刷材収容体において、
前記印刷材収容体は、所定の挿入方向に挿入されることによって、前記印刷装置に装着され、
前記第１の列および前記第２の列は、前記挿入方向に対して略垂直に配置され、
前記第１の列は、前記第２の列よりも前記挿入方向側に配置されている印刷材収容体。
【請求項２１】
請求項１８ないし請求項２０のいずれかに記載の印刷材収容体において、
前記印刷材収容体は、所定の挿入方向に挿入されることによって、前記印刷装置に装着され、
前記第１の列および前記第２の列は、前記挿入方向に対して略垂直に配置され、
前記第１の列を形成するように配置されている各端子と、前記第２の列を形成するように配置されている各端子は、千鳥状に配置されている印刷材収容体。
【請求項２２】
請求項１ないし請求項１７のいずれかに記載の印刷材収容体において、
前記端子群は、同一の列を形成するように配置され、
前記少なくとも１つの第２の端子は、前記同一の列の端に配置され、
前記少なくとも１つの第３の端子は、前記端に配置された前記第２の端子の内側に隣り合うように配置されている、印刷材収容体。
【請求項２３】
請求項１ないし請求項２２のいずれかに記載の印刷材収容体において、
前記少なくとも１つの第３の端子は、前記少なくとも１つの第２の端子を囲んでいる、印刷材収容体。
【請求項２４】
請求項１ないし請求項２３のいずれかに記載の印刷材収容体において、
前記端子群は、少なくとも２つの前記第２の端子を含み、
各前記第１の端子は、２つの前記第２の端子の間に配置されている、印刷材収容体。
【請求項２５】
請求項１ないし請求項２４のいずれかに記載の印刷材収容体において、
前記第３の端子のうちの少なくとも１つの端子は、さらに、前記印刷装置に対する前記印刷材収容体の装着の有無を検出するために用いられる、印刷材収容体。
【請求項２６】
請求項２５に記載の印刷材収容体において、
前記複数の第１の端子は、接地端子を含み、
前記印刷材収容体の装着の有無を検出するために用いられる前記第３の端子は、前記接地端子と短絡されている、印刷材収容体。
【請求項２７】
請求項２６に記載の印刷材収容体において、
前記接地端子と前記印刷材収容体の装着の有無を検出するために用いられる前記第３の端子は、同一の列を形成するように隣り合って配置されると共に、１つの部材で一体に形成されている、印刷材収容体。
【請求項２８】
請求項２５または請求項２６に記載の印刷材収容体において、
前記端子群は、前記印刷材収容体の装着の有無を検出するために用いられる１または複数の前記第３の端子を含み、
前記印刷装置によって、前記印刷材収容体の装着の有無を検出するために用いられる第３の端子の数および位置に基づいて、前記印刷材収容体の種類が判定される、印刷材収容体。
【請求項２９】
請求項１ないし請求項２８のいずれかに記載の印刷材収容体は、さらに、
印刷材を収容するための筐体と、前記筐体に装着された基板とを有し、
前記端子群は、前記基板上に配置されている、印刷材収容体。
【請求項３０】
請求項１ないし請求項２８のいずれかに記載の印刷材収容体は、さらに、
印刷材を収容するための筐体と、前記筐体上に装着された基板とを有し、
前記端子群のうちの前記第１の端子と前記第３の端子は、前記基板上に配置され、
前記端子群のうちの前記第２の端子は、前記筐体上に配置されている、印刷材収容体。
【請求項３１】
請求項２９または請求項３０に記載の印刷材収容体において、
前記第１のデバイスは、前記基板に装着されている、印刷材収容体。
【請求項３２】
請求項１ないし請求項３１のいずれかに記載の印刷材収容体において、
前記第２の端子と、前記第２の端子と隣接する他の端子との間には、凹部が設けられている、印刷材収容体。
【請求項３３】
請求項１ないし請求項３２のいずれかに記載の印刷材収容体において、
前記第２の端子と、前記第２の端子と隣接する他の端子との間には、多孔体が配置されている、印刷材収容体。
【請求項３４】
複数の装置側端子を有する印刷装置に脱着可能に装着されると共に第２のデバイスを有する印刷材収容体に搭載される基板であって、
第１のデバイスと、
複数の第１の端子と少なくとも１つの第２の端子と少なくとも１つの第３の端子を含み、前記複数の装置側端子に接続するための端子群と、
を備え、
前記複数の第１の端子は、前記第１のデバイスに接続され、
前記少なくとも１つの第２の端子は、前記第２のデバイスに接続され、
前記少なくとも１つの第３の端子は、前記少なくとも１つの第２の端子と前記少なくとも１つの第３の端子との短絡を検出するための端子であり、
前記少なくとも１つの第３の端子の少なくとも一部分から、少なくとも１つの方向に向かって、前記少なくとも１つの第２の端子の少なくとも一部分に至るまでの間には、前記第１の端子が配置されていない、基板。
【請求項３５】
複数の装置側端子を有する印刷装置に脱着可能に装着されると共に第２のデバイスを有する印刷材収容体に搭載される基板であって、
第１のデバイスと、
複数の第１の端子と少なくとも１つの第２の端子と少なくとも１つの第３の端子を含み、前記複数の装置側端子に接続するための端子群と、
を備え、
前記複数の第１の端子は、前記第１のデバイスに接続され、
前記少なくとも１つの第２の端子は、前記第２のデバイスに接続され、
前記少なくとも１つの第３の端子は、前記少なくとも１つの第２の端子と前記少なくとも１つの第３の端子との短絡を検出するための端子であり、
前記少なくとも１つの第３の端子の少なくとも一部分と、前記少なくとも１つの第２の端子の少なくとも一部分とは、少なくとも１つの方向に隣り合う、基板。
【請求項３６】
請求項３４または請求項３５に記載の基板において、
前記印刷材収容体は、所定の挿入方向に挿入されることによって、前記印刷装置に装着され、
前記少なくとも１つの第２の端子に対し、前記挿入方向に略垂直な方向に最も近い端子は、前記少なくとも１つの第３の端子のいずれかである、基板。
【請求項３７】
請求項３４ないし請求項３６のいずれかに記載の基板において、
前記複数の第１の端子のうち、前記少なくとも１つの第３の端子に隣り合う端子の数は、前記複数の第１の端子のうち、前記少なくとも１つの第２の端子に隣り合う端子の数より少ない、基板。
【請求項３８】
請求項３４ないし請求項３７に記載の基板において、
前記印刷材収容体は、所定の挿入方向に挿入されることによって、前記印刷装置に装着され、
前記少なくとも１つの方向は、前記挿入方向である、または、前記挿入方向を方向成分として含む方向である、基板。
【請求項３９】
請求項３４ないし請求項３８のいずれかに記載の基板において、
前記少なくとも１つの方向は、前記印刷材収容体の側縁部から遠ざかる方向である、または、前記側縁部から遠ざかる方向を方向成分として含む方向である、基板。
【請求項４０】
請求項３４ないし請求項３８のいずれかに記載の基板において、
前記少なくとも１つの方向は、前記印刷材収容体の側縁部に向かう方向である、または、前記側縁部に向かう方向を方向成分として含む方向である、基板。
【請求項４１】
複数の装置側端子を有する印刷装置に脱着可能に装着されると共に第２のデバイスを有する印刷材収容体に搭載される基板であって、
第１のデバイスと、
複数の第１の端子と少なくとも１つの第２の端子と少なくとも１つの第３の端子を含み、前記複数の装置側端子に接続するための端子群と、
を備え、
前記複数の第１の端子は、前記第１のデバイスに接続され、
前記少なくとも１つの第２の端子は、前記第２のデバイスに接続され、
前記少なくとも１つの第３の端子は、前記少なくとも１つの第２の端子と前記少なくとも１つの第３の端子との短絡を検出するための端子であり、
前記少なくとも１つの第２の端子の外周縁の第１の部分は、前記少なくとも１つの第３の端子の外周縁の一部分と隣り合い、
前記少なくとも１つの第２の端子の外周縁の第２の部分は、前記複数の第１の端子のいずれかの外周縁の一部分と隣り合い、
前記第１の部分の長さは、前記第２の部分の長さより長い、基板。
【請求項４２】
請求項３４ないし請求項４１のいずれかに記載の基板において、
前記少なくとも１つの第３の端子は、前記複数の第１の端子のいずれより、前記少なくとも１つの第２の端子に近接している基板。
【請求項４３】
請求項３４ないし請求項４２のいずれかに記載の基板において、
前記少なくとも１つの第２の端子は、各前記第１の端子の少なくとも一部分より、前記基板の測縁部に近く配置されている基板。
【請求項４４】
請求項３４ないし請求項４３のいずれかに記載の基板において、
前記端子群は、少なくとも２つの前記第２の端子を含み、
各前記第１の端子の少なくとも一部分は、２つの前記第２の端子の間に配置されている、基板。
【請求項４５】
請求項３４ないし請求項４４のいずれかに記載の基板において、
前記第１のデバイスは、前記印刷材収容体に収容された印刷材に関する情報を格納するためのメモリである、基板。
【請求項４６】
請求項３４ないし請求項４５のいずれかに記載の基板において、
前記第２のデバイスは、前記印刷材収容体に収容された印刷材の残量を判定するためのセンサである、基板。
【請求項４７】
請求項３４ないし請求項４６のいずれかに記載の基板において、
前記第２のデバイスは、前記第１のデバイスより高い電圧により動作する、基板。
【請求項４８】
請求項３４ないし請求項４７のいずれかに記載の基板において、
前記印刷材収容体は、前記印刷装置に供給するための印刷材が収容されている、基板。
【請求項４９】
請求項３４ないし請求項４８のいずれかに記載の基板において、
前記第３の端子は、前記第２の端子ごとに、１つずつ配置されている基板。
【請求項５０】
請求項３４ないし請求項４９のいずれかに記載の基板において、
前記端子群は、１または複数の列を形成するように配置され、
前記第２の端子は、前記１または複数の列のうちの一の列の両端にそれぞれ配置されている、基板。
【請求項５１】
請求項３４ないし請求項５０のいずれかに記載の基板において、
前記端子群は、第１の列と第２の列を形成するように配置され、
前記第２の端子は、前記第１の列の両端にそれぞれ配置され、
前記少なくとも１つの第３の端子は、前記第２の列の両端のうち少なくとも一方に配置されている、基板。
【請求項５２】
請求項５１に記載の基板において、
前記端子群は、少なくとも２つの前記第３の端子を含み、
前記第３の端子は、前記第２の列の両端にそれぞれ配置されている、基板。
【請求項５３】
請求項５１または請求項５２に記載の基板において、
前記印刷材収容体は、所定の挿入方向に挿入されることによって、前記印刷装置に装着され、
前記第１の列および前記第２の列は、前記挿入方向に対して略垂直に配置され、
前記第１の列は、前記第２の列よりも前記挿入方向側に配置されている基板。
【請求項５４】
請求項５１ないし請求項５３のいずれかに記載の基板において、
前記印刷材収容体は、所定の挿入方向に挿入されることによって、前記印刷装置に装着され、
前記第１の列および前記第２の列は、前記挿入方向に対して略垂直に配置され、
前記第１の列を形成するように配置されている各端子と、前記第２の列を形成するように配置されている各端子は、千鳥状に配置されている基板。
【請求項５５】
請求項３４ないし請求項５０のいずれかに記載の基板において、
前記端子群は、同一の列を形成するように配置され、
前記少なくとも１つの第２の端子は、前記同一の列の端に配置され、
前記少なくとも１つの第３の端子は、前記端に配置された前記第２の端子の内側に隣り合うように配置されている、基板。
【請求項５６】
請求項３４ないし請求項５５のいずれかに記載の基板において、
前記少なくとも１つの第３の端子は、前記少なくとも１つの第２の端子を囲んでいる、基板。
【請求項５７】
請求項３４ないし請求項５６のいずれかに記載の基板において、
前記端子群は、少なくとも２つの前記第２の端子を含み、
各前記第１の端子は、２つの前記第２の端子の間に配置されている、基板。
【請求項５８】
請求項３４ないし請求項５７のいずれかに記載の基板において、
前記第３の端子のうちの少なくとも１つの端子は、さらに、前記印刷装置に対する前記印刷材収容体の装着の有無を検出するために用いられる、基板。
【請求項５９】
請求項５８に記載の基板において、
前記複数の第１の端子は、接地端子を含み、
前記印刷材収容体の装着の有無を検出するために用いられる前記第３の端子は、前記接地端子と短絡されている、基板。
【請求項６０】
請求項５９に記載の基板において、
前記接地端子と前記印刷材収容体の装着の有無を検出するために用いられる前記第３の端子は、同一の列を形成するように隣り合って配置されると共に、１つの部材で一体に形成されている、基板。
【請求項６１】
請求項５８または請求項５９に記載の基板において、
前記端子群は、前記印刷材収容体の装着の有無を検出するために用いられる１または複数の前記第３の端子を含み、
前記印刷装置によって、前記印刷材収容体の装着の有無を検出するために用いられる第３の端子の数および位置に基づいて、前記印刷材収容体の種類が判定される、基板。
【請求項６２】
複数の装置側端子を有する印刷装置に脱着可能に装着されると共に第２のデバイスを有する印刷材収容体に搭載される基板であって、
第１のデバイスと、
複数の第１の端子と、少なくとも１つの第３の端子とを含む端子群と、
前記印刷材収容体に備えられた少なくとも１つの第２の端子のそれぞれが嵌るための少なくとも１つの切り欠き部と、
を備え、
前記複数の第１の端子は、前記第１のデバイスに接続されると共に、前記複数の装置側端子のうちの対応する端子と接触する第１の接触部をそれぞれ含み、
前記少なくとも１つの第２の端子は、前記第２のデバイスに接続されると共に、前記複数の装置側端子のうちの対応する端子と接触する第２の接触部をそれぞれ含み、
前記少なくとも１つの第３の端子は、前記少なくとも１つの第２の端子と前記少なくとも１つの第３の端子との短絡を検出するための端子であり、前記複数の装置側端子のうちの対応する端子と接触する第３の接触部をそれぞれ含み、
前記印刷材収容体に搭載されたときに、前記少なくとも１つの第３の接触部は、前記少なくとも１つの第２の接触部に隣接して配置され、
前記印刷材収容体に搭載されたときに、前記少なくとも１つの第２の接触部と、前記複数の第１の接触部と、前記少なくとも１つの第３の接触部は、１または複数の列を形成するように配置され、
前記印刷材収容体に搭載されたときに、前記少なくとも１つの第２の接触部は、前記１または複数の列のうちの一の列の端に配置されている、基板。
【請求項６３】
請求項３４ないし請求項６２のいずれかに記載の基板が搭載された印刷材収容体。
【請求項６４】
請求項１ないし請求項３３のいずれか、または、請求項６３に記載の印刷材収容体が装着された印刷装置。
【請求項６５】
請求項６４に記載の印刷装置であって、
複数の第１の装置側端子と、複数の第２の装置側端子と、複数の第３の装置側端子と、を含む装置側端子群を備え、
前記装置側端子群に含まれる端子は、第１の端子列と、第２の端子列とを形成するように配置され、
前記複数の第２の装置側端子は、前記第１の端子列の両端にそれぞれ配置され、
前記複数の第３の装置側端子は、前記第２の端子列の両端にそれぞれ配置され、
前記複数の第２の装置側端子は、前記複数の第３の装置側端子のいずれかにそれぞれ隣り合い、
前記印刷材収容体の前記複数の第１の端子は、前記複数の第１の装置側端子のうちの対応する端子に接続され、
前記印刷材収容体の前記少なくとも１つの第２の端子は、前記複数の第２の装置側端子のうちの対応する端子に接続され、
前記印刷材収容体の前記少なくとも１つの第３の端子は、前記複数の第３の装置側端子のうちの対応する端子に接続される、印刷装置。
【請求項６６】
印刷材収容体を準備する方法であって、
請求項３４ないし請求項６２のいずれかに記載の基板を印刷材収容体に搭載する工程を備える、方法。
【請求項６７】
印刷材収容体を準備する方法であって、
請求項３４ないし請求項６２のいずれかに記載の基板有する請求項１ないし請求項３３のいずれかに記載の印刷材収容体を用意する工程と、
用意された印刷材収容体に印刷材を充填して、前記第２のデバイスが前記印刷材収容体内の前記印刷を検出可能にする工程と、
を備える方法。
【請求項６８】
請求項６６または請求項６７に記載の方法であって、
前記印刷材は、インクである、方法。